(57)【特許請求の範囲】
【請求項１】
仮設足場に用いられるとともに、
長尺状の本体部と、
前記本体部の長手方向に沿う端縁から下方向に延出する側壁部と、
前記側壁部の下端から水平方向の内側に向けて延出する底壁部と、
前記底壁部の先端から上方向に延出する立ち上がり部とが一体的に形成された仮設足場板であって、
前記底壁部の長手方向の端部側であって前記立ち上がり部の下部に切り欠き部が形成されていることを特徴とする、仮設足場板。
【請求項２】
前記本体部、前記側壁部、前記底壁部及び前記立ち上がり部によって構成される床材である、請求項１に記載の仮設足場板。
【請求項３】
前記床材を含む床付き布わくである、請求項２に記載の仮設足場板。
【請求項４】
前記床材を含む鋼製足場板である、請求項２に記載の仮設足場板。
【請求項５】
仮設足場に用いられるとともに、
長尺状の本体部と、
前記本体部の長手方向に沿う端縁から下方向に延出する側壁部と、
前記側壁部の下端から水平方向の内側に向けて延出する底壁部と、
前記底壁部の先端から上方向に延出する立ち上がり部とが一体的に形成された仮設足場板の製造方法であって、
前記底壁部の長手方向の端部側であって前記立ち上がり部の下部に形成された切り欠き部は、
平板状の鋼板の角部を斜め方向に切断後、前記鋼板を成形加工することにより形成されることを特徴とする、仮設足場板の製造方法。
【発明の詳細な説明】
【技術分野】
【０００１】  本発明は、例えば建築現場等で組み立てられる仮設足場において用いられる仮設足場板に関するものである。
【背景技術】
【０００２】  従来、マンション等の増改築や改修工事（塗装、タイル貼り、防水補修又はひび補修等）が実施される建築現場においては、建築物の周囲に作業者が高所作業を行うための仮設足場が組み立てられる。仮設足場としては、例えば鳥居型の建枠や筋交い等で構成される枠組足場や、各部材の連結にくさびが用いられるくさび緊結式足場等が知られている（例えば特許文献１参照）。【０００３】  これらの仮設足場では、作業者が作業及び歩行するための仮設足場板として例えば図７に示すような床付き布わく１が用いられている。床付き布わく１は、足場部材の一部としての腕木材（図略）間に掛け渡すように設けられ、長尺状の２枚の床材２と、２枚の床材２を並設するためにそれらの端部同士にそれぞれ取付けられた２つのはり材３と、床材２の端部に取付けられ腕木材に掛止するための複数のつかみ部材４と、床材２の長手方向に沿う端部同士を連結する複数の補強部材５とによって構成されている。【０００４】  床材２は、長手方向に沿う両端部が補強のために内側に巻き込むように折り返されて形成されている。すなわち、床材２を底面側から見た図８に示すように、床材２の端部は、平面状の本体部２１の端縁から下方向に延出された側壁部２２と、側壁部２２の下端から水平方向の内側に向けて延出された底壁部２３と、さらに底壁部２３の先端から上方向に延出された立ち上がり部２４とを有する。【０００５】  しかしながら、上記床付き布わく１が例えば屋外に置かれていると、雨等に晒されて上記底壁部２３の内側表面に雨水が溜まることがある。そのため、この床付き布わく１の使用時（すなわち仮設足場の組立時や解体時）に、溜まった雨水が作業者にかかることがある。また、溜まった雨水をそのまま放置しておくと、錆が発生し、底壁部２３に連なる床材２、はり材３及び補強部材５の一部が部分的に腐食し、これらに強度上の問題を生じさせることがある。【０００６】  そこで、底壁部２３の内側表面に水が溜まることを抑制する方法として、例えば底壁部２３に水抜き用の穴２５（図８参照）を形成することが考えられる。しかしながら、底壁部２３は、通常幅狭に形成されているため、水抜き用穴２５が形成されることにより底壁部２３の強度に問題が生じる。また、形成された水抜き用穴２５の切断面から錆が生じ、腐食のおそれがあるといった問題点も生じる。
【先行技術文献】
【特許文献】
【０００７】
【特許文献１】特開平１０−１５２９８４号公報
【発明の概要】
【発明が解決しようとする課題】
【０００８】
本発明は、上記した事情のもとで考え出されたものであって、底壁部の表面に水が溜まることを抑制して腐食の問題等を解消した仮設足場板及びその製造方法を提供することをその課題とする。
【課題を解決するための手段】
【０００９】
本発明によって提供される仮設足場板は、仮設足場に用いられるとともに、長尺状の本体部と、前記本体部の長手方向に沿う端縁から下方向に延出する側壁部と、前記側壁部の下端から水平方向の内側に向けて延出する底壁部と、前記底壁部の先端から上方向に延出する立ち上がり部とが一体的に形成された仮設足場板であって、前記底壁部の長手方向の端部側であって前記立ち上がり部の下部に切り欠き部が形成されていることを特徴としている。
【００１１】  本発明の仮設足場板は、前記本体部、前記側壁部、前記底壁部及び前記立ち上がり部によって構成される床材であるとよい。【００１２】  また、本発明の仮設足場板は、前記床材を含む床付き布わくであってもよい。【００１３】
また、本発明の仮設足場板は、前記床材を含む鋼製足場板であってもよい。
さらに、本発明によって提供される仮設足場板の製造方法は、仮設足場に用いられるとともに、長尺状の本体部と、前記本体部の長手方向に沿う端縁から下方向に延出する側壁部と、前記側壁部の下端から水平方向の内側に向けて延出する底壁部と、前記底壁部の先端から上方向に延出する立ち上がり部とが一体的に形成された仮設足場板の製造方法であって、前記底壁部の長手方向の端部側であって前記立ち上がり部の下部に形成された切り欠き部は、平板状の鋼板の角部を斜め方向に切断後、前記鋼板を成形加工することにより形成されることを特徴としている。
【発明の効果】
【００１４】  本発明によれば、底壁部の長手方向の端部に連なる立ち上がり部に切り欠き部が形成されているので、底壁部の表面に溜まった水が切り欠き部から流れ落ちる。そのため、底壁部の表面に水が溜まることを抑制することができ、仮設足場の組立時や解体時にこの仮設足場板を使用したとき、溜まった雨水が作業者にかかることを防止できる。また、溜まった水による錆や腐食の問題を解消することができる。
【図面の簡単な説明】
【００１５】
【図１】本発明に係る仮設足場板としての床付き布わくの部分底面図である。
【図２】図１に示す床付き布わくの部分側面図である。
【図３】床材の部分斜視図である。
【図４】鋼製足場板を示す部分斜視図である。
【図５】変形例の床材を示す部分斜視図である。
【図６】他の変形例の床材を示す部分斜視図である。
【図７】従来の床付き布わくを示す斜視図である。
【図８】従来の床付き布わくに用いられる床材の部分斜視図である。
【発明を実施するための形態】
【００１６】  以下、本発明の実施の形態につき、図面を参照して具体的に説明する。
【００１７】  本発明に係る仮設足場板としての床付き布わくは、図７に示す床付き布わくとその外観が同様のため、以下の説明では再び図７を参照し、同一機能の部材においては同符号を用いて説明する。ただし、本発明の仮設足場板としての床付き布わくは、内部構成において従来の床付き布わくとは異なっている。
【００１８】  図１は、本発明に係る床付き布わく１の部分底面図であり、図２は、床付き布わく１の部分側面図である。図３は、床付き布わく１に含まれる床材２（後述）の部分斜視図である。本発明に係る仮設足場板としての床付き布わく１は、建築工事現場等の仮設足場において、作業者が作業及び歩行するために用いられる部材である。床付き布わく１は、例えば仮設足場の一部材として平行配置された腕木材（図略）間に掛け渡されて敷設される。
【００１９】  床付き布わく１は、図７に示すように、長尺状の２つの床材２を有している。両床材２は、それらの上面同士がほぼ面一になるように配されている。床材２は、例えば鋼板からなり、その補強のために後述するように長手方向に沿う側端部が内側に巻き込まれるように折り返されて形成されている。床材２の表面には、作業者の歩行時の滑り止めとして機能する溝条６ａ（図３参照）やパンチング孔（図略）等が形成されている。
【００２０】  床付き布わく１の短手方向に沿う両端部には、２つの床材２を並設させるためのはり材３がそれぞれ嵌合されて設けられている。はり材３は、断面視で略コの字状に形成されており、長手方向の幅が、並設された２つの床材２の短手方向同士の幅よりやや短くなるように形成されている。はり材３は、例えば床材２の端部に対して溶接されて取り付けられている。はり材３は、側面視で開口側に極わずかに広がるようにテーパ状に形成されている。
【００２１】  また、床付き布わく１の短手方向に沿う両端部の外側には、一対のつかみ部材４がそれぞれ設けられている。つかみ部材４は、床付き布わく１を腕木材間に掛け渡すために、腕木材に掛止させるものである。これらつかみ部材４は、床材２の側部内側に例えばリベット止めされて設けられている。
【００２２】  また、床付き布わく１には、長手方向と直交する方向に延び、床材２の長手方向に沿う端部同士を連結する３つの補強部材５が所定の間隔を隔てて設けられている（図７参照）。補強部材５は、両端がやや幅広に形成され、床材２に対して溶接等で取り付けられている。
【００２３】  本実施形態においては、各床材２は、図３に示すように、長手方向に沿う側端部が一体的に折り曲げられて形成されている。すなわち、床材２は、平板状の本体部６と、本体部６の長手方向に沿う端縁から下方向に延出された側壁部７と、側壁部７の下端から水平方向の内側に向けて延出された底壁部８と、底壁部８の端縁から上方向に延出された立ち上がり部９とを備えている。
【００２４】  そして、床材２は、図３に示すように、底壁部８の長手方向の端部に連なる立ち上がり部９に切り欠き部１０が形成されている。切り欠き部１０は、図２に示すように、側面視で立ち上がり部９の端部が斜め方向に切り欠けられて形成されている。切り欠き部１０は、底壁部８の長手方向の端部に連なる立ち上がり部９の全てに形成されていることが望ましい。
【００２５】  この切り欠き部１０は、例えば底壁部８及び立ち上がり部９の端部が斜め方向に面取りされることにより形成される。より具体的には、床材２の材料となる平板状の鋼板の角部を斜め方向に切断した後、この鋼板をフォーミング加工することにより立ち上がり部９等の折り曲げ部分を形成する。このような加工方法を用いると、底壁部８の端部角部にも切り欠き１１が形成される。
【００２６】  このように、上記床付き布わく１によれば、底壁部８の長手方向の端部に連なる立ち上がり部９に切り欠き部１０が形成されているため、例えば床付き布わく１が屋外に置かれて雨等に晒され、底壁部８の表面に雨水が浸入するようなことがあっても、雨水は立ち上がり部９の切り欠き部１０を通じて流れ落ち、はり材３の裏表面に至り、ごくわずかなテーパ状とされたはり材３の端縁から下方に滴り落ちる。
【００２７】  そのため、底壁部８の表面に雨水等が溜まることを抑制でき、仮設足場の組立時や解体時にこの床付き布わく１を使用したとき、溜まった雨水が作業者にかかることを防止することができる。また、底壁部８の表面に雨水等が溜まることにより錆が生じ、床材２、はり材３及び補強部材５が部分的に腐食し、これらに強度上の問題が生じることを解消することができる。
【００２８】  ところで、上記床付き布わく１においては、床材２にはり材３を取り付ける際、スポット溶接等が行われ、通常その溶接後に、溶接によってメッキが除去された部分における錆等の発生を抑制するための補修塗装が行われる。補修塗装は、はり材３の溶接箇所の表面側だけでなく裏面側も実施される。本実施形態の床付き布わく１によれば、底壁部８の端部においてそれに連なる立ち上がり部９が切り欠けられているため、補修塗装用の塗装用具等を補修箇所にあてがい易くなり、補修塗装の作業性を向上させることができるといった利点を有する。
【００２９】  本実施形態では、床付き布わく１において立ち上がり部９に切り欠き部１０を形成しているが、例えば長尺状の鋼製足場板（つかみ金具４のない足場板）にも夲実施形態の切り欠き部１０を適用することができる。長尺状の鋼製足場板１２では、図４に示すように、底壁部８の裏面に例えばホットメルトやシーリング材等の合成樹脂によりなる滑り止め材１３が設けられることが一般的である。ところが、この鋼製足場板１２に従来の構成（図８参照）のような水抜き穴２５を形成しようとすると、滑り止め材１３によって水抜き穴２５が塞がれてしまうことになる。
【００３０】  本実施形態では、底壁部８の端部に連なる立ち上がり部９に切り欠き部１０が形成されるので、鋼製足場板１２において上記のような滑り止め材１３が底壁部８に設けられていても、切り欠き部１０を、滑り止め材１３を避けて支障なく形成することができ、水抜きの機能を良好に発揮させることができる。
【００３１】  なお、本発明の範囲は上述した実施の形態に限定されるものではなく、発明の範囲を逸脱しない範囲で種々の変更を行うことができる。例えば上記実施形態における床付き布わく１を構成する床材２、はり材３、つかみ部材４及び補強部材５等の各部材の数、形態、大きさ及び構造等は、上記実施形態に限るものではなく適宜設計変更可能である。また、床材２を構成する本体部６、側壁部７、底壁部８及び立ち上がり部９も適宜設計変更可能である。また、本発明の仮設足場板としては、床付き布わく１に限らず、一つの床材２のみで構成されてもよい。
【００３２】  また、上記実施形態においては、切り欠き部１０は、床材２の底壁部８の端部に連なる立ち上がり部９に形成されていたが、これに限らず、例えば図５に示すように、底壁部８は面取りされずに立ち上がり部９のみが切り欠けられていてもよい。また、切り欠き部１０は、例えば図６に示すように、底壁部８の端部に連なる側壁部７に形成されていてもよい。また、切り欠き部１０の端面は、側面視で斜め方向に切断されて形成されていたが、これに限らず、例えば円弧状に形成されてもよいしあるいは矩形状に形成されていてもよい。
【符号の説明】
【００３３】  １    床付き布わく
２    床材
３    はり材
４    つかみ部材
５    補強部材
６    本体部
７    側壁部
８    底壁部
９    立ち上がり部
１０    切り欠き部
１２    鋼製足場板
１３    滑り止め材
【図１】
0005940905.tif 000002
【図２】
0005940905.tif 000003
【図３】
0005940905.tif 000004
【図４】
0005940905.tif 000005
【図５】
0005940905.tif 000006
【図６】
0005940905.tif 000007
【図７】
0005940905.tif 000008
【図８】
0005940905.tif 000009